(57)【特許請求の範囲】
【請求項１】
複数の画素データによって形成される画像データに対する画像処理を実行する画像処理装置であって、
前記画像データの各画素データによって示される各画素が文字領域、ピクチャー領域および背景領域のいずれに属するかを分類する領域判定部と、
前記分類された領域のそれぞれに属する画素数をカウントする画素領域カウント部と、
前記カウントされた画素数に基づいて、前記画像データが文字データ、ピクチャーデータおよび文字データとピクチャーデータとの混在データのいずれに属するかを判定する属性判定部と、
前記属性判定部によって前記画像データが前記文字データに属すると判定されると、前記文字データに対応する複数の異なる種類の画像調整機能を選別し、前記属性判定部によって前記画像データが前記ピクチャーデータに属すると判定されると、前記ピクチャーデータに対応する複数の異なる種類の画像調整機能を選別し、前記属性判定部によって前記画像データが前記混在データに属すると判定されると、前記文字データ及び前記ピクチャーデータの各々に対応する複数の異なる種類の画像調整機能を選別する画像調整選別部と、
前記選別された画像調整機能の各々に基づく画像処理が実行された前記画像データのプレビュー画像を、前記選別された画像調整機能ごとに生成する画像処理部と
を有する制御部と、
前記画像処理部によって生成された複数の前記プレビュー画像を表示する表示部と、
を備え、
前記画像処理部は、
前記文字データに対応する画像調整機能が選別されると、前記選別された画像調整機能の各々に基づく画像処理が前記文字領域に対して実行された前記プレビュー画像をそれぞれ生成し、
前記ピクチャーデータに対応する画像調整機能が選別されると、前記選別された画像調整機能の各々に基づく画像処理が前記ピクチャー領域に対して実行された前記プレビュー画像をそれぞれ生成し、
前記混在データに対応する画像調整機能が選別されると、前記選別された画像調整機能のうち、前記文字データに対応する画像調整機能の各々に基づく画像処理が前記文字領域に対して実行された前記プレビュー画像をそれぞれ生成するとともに、前記選別された画像調整機能のうち、前記ピクチャーデータに対応する画像調整機能の各々に基づく画像処理が前記ピクチャー領域に対して実行された前記プレビュー画像をそれぞれ生成する、画像処理装置。
【請求項２】
前記画像データが前記混在データに属すると前記属性判定部が判定した場合において、前記表示部に表示された前記プレビュー画像のうちから、前記文字データに対応する画像調整機能に基づく画像処理が前記文字領域に対して実行された前記プレビュー画像のうちの１つと、前記ピクチャーデータに対応する画像調整機能に基づく画像処理が前記ピクチャー領域に対して実行された前記プレビュー画像のうちの１つとがユーザーによって選択されると、前記画像処理部は、前記選択された文字領域に対する画像処理と、前記選択されたピクチャー領域に対する画像処理とに基づいて前記画像データを再度画像処理する、請求項１に記載の画像処理装置。
【請求項３】
前記制御部は、前記プレビュー画像の表示倍率を調整するズーム調整部をさらに有する、請求項１または請求項２に記載の画像処理装置。
【請求項４】
設定を記憶する記憶部をさらに備え、
前記制御部は、前記設定に基づき前記プレビュー画像の表示順を変更する、請求項１から請求項３のいずれか１項に記載の画像処理装置。
【請求項５】
複数の画素データによって形成される画像データに対する画像処理を実行する画像処理装置による画像処理方法であって、
前記画像データの各画素データによって示される各画素が文字領域、ピクチャー領域および背景領域のいずれに属するかを制御部が分類する領域判定工程と、
前記分類された領域のそれぞれに属する画素数を前記制御部がカウントする画素領域カウント工程と、
前記カウントされた画素数に基づいて、前記画像データが文字データ、ピクチャーデータおよび文字データとピクチャーデータとの混在データのいずれに属するかを前記制御部が判定する属性判定工程と、
前記画像データが前記文字データに属すると判定されると、前記文字データに対応する複数の異なる種類の画像調整機能を前記制御部が選別し、前記画像データが前記ピクチャーデータに属すると判定されると、前記ピクチャーデータに対応する複数の異なる種類の画像調整機能を前記制御部が選別し、前記画像データが前記混合データに属すると判定されると、前記文字データ及び前記ピクチャーデータの各々に対応する複数の異なる種類の画像調整機能を前記制御部が選別する画像調整選別工程と、
前記選別された画像調整機能の各々に基づく画像処理が実行された前記画像データのプレビュー画像を、前記選別された画像調整機能ごとに前記制御部が生成する画像処理工程と、
表示部が前記生成された複数のプレビュー画像を表示する表示工程と
を包含し、
前記画像調整選別工程において、前記文字データに対応する画像調整機能が選別されると、前記画像処理工程において、前記選別された画像調整機能の各々に基づく画像処理が前記文字領域に対して実行された前記プレビュー画像がそれぞれ生成され、
前記画像調整選別工程において、前記ピクチャーデータに対応する画像調整機能が選別されると、前記画像処理工程において、前記選別された画像調整機能の各々に基づく画像処理が前記ピクチャー領域に対して実行された前記プレビュー画像がそれぞれ生成され、
前記画像調整選別工程において、前記混在データに対応する画像調整機能が選別されると、前記画像処理工程において、前記選別された画像調整機能のうち、前記文字データに対応する画像調整機能の各々に基づく画像処理が前記文字領域に対して実行された前記プレビュー画像がそれぞれ生成されるとともに、前記選別された画像調整機能のうち、前記ピクチャーデータに対応する画像調整機能の各々に基づく画像処理が前記ピクチャー領域に対して実行された前記プレビュー画像がそれぞれ生成される、画像処理方法。
【発明の詳細な説明】
【技術分野】
【０００１】
本発明は、画像処理装置および画像処理方法に関する。
【背景技術】
【０００２】
画像処理装置において、画像データに応じて適合させた画像処理を行う必要がある。特許文献１に記載の画像処理装置は、入力画像データに存在する網点線数に基づいて原稿種別を判定し、原稿種別に応じた画像処理を入力画像データに施している。
【先行技術文献】
【特許文献】
【０００３】
【特許文献１】特開２００４−１９３６７４号公報
【発明の概要】
【発明が解決しようとする課題】
【０００４】
しかしながら、特許文献１に記載の画像処理装置では、ユーザーが所望する画像調整機能の画像処理が行われるとは限らなかった。
【０００５】
本発明は上記課題に鑑みてなされたものであり、その目的はユーザーが所望する画像調整機能を選択することが容易となる画像処理装置および画像処理方法を提供することにある。
【課題を解決するための手段】
【０００６】
本発明に係る画像処理装置は、表示部と、制御部とを備える。前記制御部は、属性判定部と、画像調整選別部と、画像処理部とを有する。前記属性判定部は、前記画像データが文字データ、ピクチャーデータ、および文字データとピクチャーデータとの混在データのいずれに属するかを判定する。前記画像調整選別部は、前記判定結果に基づいて複数の画像調整機能の中から画像調整機能を選別する。前記画像処理部は、前記選別された画像調整機能に基づいて画像処理を行い前記画像データのプレビュー画像を生成する。前記表示部は、前記プレビュー画像を表示する。
【０００７】
本発明に係る画像処理方法は、判定する工程と、選別する工程と、生成する工程と、表示する工程とを包含する。前記判定する工程は、画像データに基づいて前記画像データが文字データ、ピクチャーデータおよび文字データとピクチャーデータとの混在データのいずれに属するかを判定する。前記選別する工程は、判定結果に基づいて複数の画像調整機能の中から画像調整機能を選別する。前記生成する工程は、前記選別された画像調整機能に基づいて前記画像データのプレビュー画像を生成する。前記表示する工程は、前記プレビュー画像を表示する。
【発明の効果】
【０００８】
本発明に係る画像処理装置において、画像処理部は、画像調整選別部によって選別された画像調整機能に基づいて画像処理を行い画像データのプレビュー画像を生成する。したがって、制御部は、画像データに対応したプレビュー画像を表示部に表示させることができる。その結果、ユーザーは所望する画像調整機能を選択することが容易となる。
【図面の簡単な説明】
【０００９】
【図１】本発明の実施形態１に係る画像処理装置を示す模式図である。
【図２】本発明の実施形態１に係る画像処理装置の画像処理方法を示すフローチャートである。
【図３】（ａ）は、画像データを示す模式図である。（ｂ）は、表示部を示す模式図である。
【図４】（ａ）は、画像データを示す模式図である。（ｂ）は、表示部を示す模式図である。
【図５】（ａ）は、画像データを示す模式図である。（ｂ）は、表示部を示す模式図である。
【図６】本発明の実施形態２に係る画像処理装置を示す模式図である。
【図７】（ａ）および（ｂ）は、表示部を示す模式図である。
【図８】本発明の実施形態３に係る画像処理装置を示す模式図である。
【図９】本発明の実施形態３に係る画像処理装置の画像処理方法を示すフローチャートである。
【図１０】（ａ）および（ｂ）は、画像データを示す模式図である。
【発明を実施するための形態】
【００１０】
以下、図面を参照して本発明に係る画像処理装置および画像処理方法の実施形態を説明する。ただし、本発明は以下の実施形態に限定されない。
【００１１】
［実施形態１］
図１を参照して本発明の実施形態１に係る画像処理装置１００を説明する。図１は、本発明の実施形態１に係る画像処理装置１００を示す模式図である。
【００１２】
画像処理装置１００は、例えば、画像形成装置に搭載される。画像処理装置１００が、画像形成装置に搭載される場合、画像処理装置１００によって画像処理された画像データに基づいて、画像形成装置は画像形成（例えば、印刷）を行う。
【００１３】
画像処理装置１００は、表示部１０と記憶部２０と制御部３０とを備える。画像処理装置１００は、画像処理装置１００に入力された画像データに基づいて画像調整機能に対応した画像処理を行う。画像処理装置１００は、画像調整機能として、文字データの画像調整機能に効果的な機能（文字強調および文字ぼかしなど）とピクチャーデータの画像調整に効果的な機能（彩度調整、色相調整、濃度調整、地色調整およびエッジ強調など）とを有している。
【００１４】
表示部１０は、画像を表示する。表示部１０は、例えば、タッチパネルである。
【００１５】
記憶部２０は、画像調整機能を実行するためのプログラムおよびプレビュー画像の表示順の設定を記憶する。記憶部２０は、例えば、ＲＯＭ（Ｒｅａｄ Ｏｎｌｙ Ｍｅｍｏｒｙ）およびＲＡＭ（Ｒａｎｄｏｍ Ａｃｃｅｓｓ Ｍｅｍｏｒｙ）である。
【００１６】
制御部３０は、画像データに基づいて画像処理した画像を表示部１０に表示させる。制御部３０は、属性判定部３１と、画像調整選別部３２と、画像処理部３３とを有する。制御部３０は、例えば、ＣＰＵ（Ｃｅｎｔｒａｌ Ｐｒｏｃｅｓｓｉｎｇ Ｕｎｉｔ）である。
【００１７】
属性判定部３１は、画像データに基づいて画像データが文字データ、ピクチャーデータ、および混在データのいずれに属するかを判定する。文字データは、画像データのうち文字が占める割合が高い画像データを示す。ピクチャーデータは、画像データのうちピクチャー（例えば、絵または写真）が占める割合が高い画像データを示す。混在データは、文字およびピクチャーが混在している画像データを示す。
【００１８】
画像調整選別部３２は、属性判定部３１の判定結果に基づいて複数の画像調整機能の中から画像調整機能を選別する。画像データが文字データである場合、画像調整選別部３２は、複数の画像調整機能の中から文字データの画像調整機能に効果的な機能を選別する。画像データがピクチャーデータである場合、画像調整選別部３２は、複数の画像調整機能の中からピクチャーデータの画像調整機能に効果的な機能を選別する。画像データが混在データである場合、画像調整選別部３２は、複数の画像調整機能の中から文字データの画像調整機能に効果的な機能およびピクチャーデータの画像調整機能に効果的な機能を選別する。
【００１９】
画像処理部３３は、画像調整選別部３２によって選別された画像調整機能に基づいて画像処理を行い画像データのプレビュー画像を生成する。制御部３０は、画像処理部３３によって生成されたプレビュー画像を表示部１０に表示させる。
【００２０】
図１〜図３を参照して画像データが文字データである場合の本発明の実施形態１に係る画像処理装置１００の画像処理方法を説明する。図２は、本発明の実施形態１に係る画像処理装置１００の画像処理方法を示すフローチャートである。図３（ａ）は、画像データＳを示す模式図である。図３（ｂ）は、表示部１０を示す模式図である。
【００２１】
ステップＳ１００：属性判定部３１は、画像データに基づいて画像データが文字データ、ピクチャーデータ、および混在データのいずれに属するかを判定する。図３（ａ）に示すように、画像データＳが、文字５１を含んでおり、ピクチャーを含んでいない場合、属性判定部３１は、画像データＳが文字データに属すると判定する。
【００２２】
ステップＳ１０２：画像調整選別部３２は、属性判定部３１の判定結果に基づいて複数の画像調整機能の中から画像調整機能を選別する。すなわち、画像調整選別部３２は、複数の画像調整機能の中から文字データの画像調整機能に効果的な機能を選別する。本実施形態において、画像調整選別部３２は、画像調整機能として文字強調および文字ぼかしを選別する。
【００２３】
ステップＳ１０４：画像処理部３３は、画像調整選別部３２によって選別された画像調整機能に基づいて画像処理を行い画像データのプレビュー画像を生成する。すなわち、文字強調および文字ぼかしの画像処理を行い、それぞれの画像調整機能に対応したプレビュー画像を生成する。
【００２４】
ステップＳ１０６：制御部３０は、プレビュー画像を表示部１０に表示させる。すなわち、図３（ｂ）に示すように、制御部３０は、文字強調の画像処理が行われたプレビュー画像４１および文字ぼかしの画像処理が行われたプレビュー画像４２を表示部１０に表示させる。
【００２５】
次に、図１、図２および図４を参照して画像データがピクチャーデータである場合の本発明の実施形態１に係る画像処理装置１００の画像処理方法を説明する。図４（ａ）は、画像データＴを示す模式図である。図４（ｂ）は、表示部１０を示す模式図である。
【００２６】
ステップＳ１００：属性判定部３１は、画像データに基づいて画像データが文字データ、ピクチャーデータ、および混在データのいずれに属するかを判定する。図４（ａ）に示すように、画像データＴが、ピクチャー６１、ピクチャー６２およびピクチャー６３を含んでおり、文字を含んでいない場合、属性判定部３１は、画像データＴがピクチャーデータに属すると判定する。
【００２７】
ステップＳ１０２：画像調整選別部３２は、属性判定部３１の判定結果に基づいて複数の画像調整機能の中から画像調整機能を選別する。すなわち、画像調整選別部３２は、複数の画像調整機能の中からピクチャーデータの画像調整機能に効果的な機能を選別する。本実施形態において、画像調整選別部３２は、画像調整機能として彩度調整、色相調整、濃度調整および地色調整を選別する。
【００２８】
ステップＳ１０４：画像処理部３３は、画像調整選別部３２によって選別された画像調整機能に基づいて画像処理を行い画像データのプレビュー画像を生成する。すなわち、彩度調整、色相調整、濃度調整および地色調整の画像処理を行い、それぞれの画像調整機能に対応したプレビュー画像を生成する。
【００２９】
ステップＳ１０６：制御部３０は、プレビュー画像を表示部１０に表示させる。すなわち、図４（ｂ）に示すように、制御部３０は、彩度調整の画像処理が行われたプレビュー画像４１、色相調整の画像処理が行われたプレビュー画像４２、濃度調整の画像処理が行われたプレビュー画像４３および地色調整の画像処理が行われたプレビュー画像４４を表示部１０に表示させる。
【００３０】
次に、図１、図２および図５を参照して画像データが混在データである場合の本発明の実施形態１に係る画像処理装置１００の画像処理方法を説明する。図５（ａ）は、画像データＵを示す模式図である。図５（ｂ）は、表示部１０を示す模式図である。
【００３１】
ステップＳ１００：属性判定部３１は、画像データに基づいて画像データが文字データ、ピクチャーデータ、および混在データのいずれに属するかを判定する。図５（ａ）に示すように、画像データＵが、文字５２、ピクチャー６１、ピクチャー６２およびピクチャー６３を含む場合、属性判定部３１は、画像データＵが混在データに属すると判定する。
【００３２】
ステップＳ１０２：画像調整選別部３２は、属性判定部３１の判定結果に基づいて複数の画像調整機能の中から画像調整機能を選別する。すなわち、画像調整選別部３２は、複数の画像調整機能の中から文字データの画像調整機能に効果的な機能およびピクチャーデータの画像調整機能に効果的な機能を選別する。本実施形態において、画像調整選別部３２は、画像調整機能として文字強調、文字ぼかし、彩度調整および色相調整を選別する。
【００３３】
ステップＳ１０４：画像処理部３３は、画像調整選別部３２によって選別された画像調整機能に基づいて画像処理を行い画像データのプレビュー画像を生成する。すなわち、文字強調、文字ぼかし、彩度調整および色相調整の画像処理を行い、それぞれの画像調整機能に対応したプレビュー画像を生成する。
【００３４】
ステップＳ１０６：制御部３０は、プレビュー画像を表示部１０に表示させる。すなわち、図５（ｂ）に示すように、制御部３０は、文字強調の画像処理が行われたプレビュー画像４１、文字ぼかしの画像処理が行われたプレビュー画像４２、彩度調整の画像処理が行われたプレビュー画像４３および色相調整の画像処理が行われたプレビュー画像４４を表示部１０に表示させる。また、制御部３０は、記憶部２０に記憶されている設定に基づき、プレビュー画像の表示順を変更する。例えば、文字を優先するように設定されている場合、制御部３０は文字データの画像調整機能に効果的な機能から先にプレビュー画像を表示部１０に表示させる。
【００３５】
以上、図１〜図５を参照して説明したように、画像処理装置１００において、画像処理部３３は、画像調整選別部３２によって選別された画像調整機能に基づいて画像処理を行い画像データのプレビュー画像を生成する。したがって、制御部３０は、画像データに応じたプレビュー画像を表示することができる。その結果、ユーザーは所望する画像調整機能を選択することが容易となる。
【００３６】
また、画像処理装置１００において、制御部３０は、記憶部２０に記憶されている設定に基づきプレビュー画像の表示順を変更する。したがって、ユーザーは所望する画像調整機能を選択することが容易となる。
【００３７】
なお、画像処理装置１００において、画像処理部３３は、プレビュー画像のうちユーザーによって選択された複数のプレビュー画像に基づいて画像データを再度画像処理してもよい。例えば、図５（ｂ）に示すようにプレビュー画像が表示されている際に、ユーザーが文字強調と彩度調整とを選択することによって、画像処理部３３は、選択された文字強調と彩度調整とに基づいて画像データの画像処理を再度行う。その後、制御部３０は、再度画像処理されて生成されたプレビュー画像を表示部１０に表示させてもよい。ユーザーによって選択された複数のプレビュー画像に基づいて画像データを再度画像処理することによって、ユーザーはプレビュー画像で確認した画像処理機能を組み合わせて画像処理装置１００に画像を処理させることができる。
【００３８】
［実施形態２］
図６および図７を参照して本発明に係る画像処理装置１００の実施形態２を説明する。図６は、本発明の実施形態２に係る画像処理装置１００を示す模式図である。図７（ａ）および（ｂ）は、表示部１０を示す模式図である。
【００３９】
画像処理装置１００において、制御部３０は、属性判定部３１と、画像調整選別部３２と、画像処理部３３と、ズーム調整部３４とを有する。本実施形態に係る画像処理装置１００において、制御部３０がズーム調整部３４をさらに有する点を除いて、図１を参照して説明した画像処理装置１００と同様な構成を有するため、重複部分については説明を省略する。
【００４０】
図７（ａ）に示すように、表示部１０には、拡大ボタン８１〜８４および縮小ボタン８５〜８８が表示されている。ユーザーによって拡大ボタン８１が押下されると、図７（ｂ）に示すようにズーム調整部３４はプレビュー画像４１を拡大し、制御部３０は拡大されたプレビュー画像４１を表示部１０に表示させる。一方、ユーザーによって縮小ボタン８５が押下されると、図７（ｂ）に示された状態から図７（ａ）に示された状態にズーム調整部３４はプレビュー画像４１を縮小し、制御部３０は拡大されたプレビュー画像４１をもとのサイズのプレビュー画像４１として表示部１０に表示させる。
【００４１】
以上、図６および図７を参照して説明したように、画像処理装置１００において、ズーム調整部３４は、プレビュー画像の表示倍率を調整する。したがって、ユーザーは表示倍率を調整したプレビュー画像を見て画像調整機能に対応する画像処理された結果を確認することができる。その結果、ユーザーは所望する画像調整機能を選択することが容易となる。
【００４２】
［実施形態３］
図８を参照して本発明に係る画像処理装置１００の実施形態３を説明する。図８は、本発明の実施形態３に係る画像処理装置１００を示す模式図である。
【００４３】
画像処理装置１００において、制御部３０は、属性判定部３１と、画像調整選別部３２と、画像処理部３３と、ズーム調整部３４と、領域判定部３５と、画素領域カウント部３６とを有する。本実施形態に係る画像処理装置１００において、制御部３０が領域判定部３５と画素領域カウント部３６とをさらに有する点を除いて、図１および図６を参照して説明した画像処理装置１００と同様な構成を有するため、重複部分については説明を省略する。
【００４４】
領域判定部３５は、画像データに含まれる画素データにそれぞれ示された画素が文字領域、ピクチャー領域および背景領域のいずれに属するかを分類する。
【００４５】
文字領域を判別する技術としては、例えば、エッジ検出処理の手法を用いることができる。この場合、領域判定部３５は、画像データを形成する各画素データを順次注目画素データとし、注目画素データと周辺画素データを抽出して、それらの画素データに対してエッジ検出フィルターを用いたフィルター処理を施すことにより、対象画像の輪郭を構成するエッジ画素データを検出するエッジ検出処理を行う。そして、領域判定部３５は、エッジ検出処理でエッジを検出した場合に、注目画素データをエッジ画素データと判定し、エッジ画素データに基づいて文字領域を判定する。例えば、領域判定部３５は、注目画素データと注目画素データに隣接する８近傍画素データとの各々の輝度の差分値を算出し、所定の閾値よりも大きな値を有する差分値が一定個数以上（例えば４個以上）ある場合、その注目画素データは、文字領域を構成するエッジ画素データであると判定する。領域判定部３５は、エッジ画素データが予め定められた閾値以上存在する画素データを文字画素データとして判別する。そして、領域判定部３５は、画像データにおいて文字画素データの分布密度が、規定された密度（例えば、２０％）よりも高くなっている各領域を判定して、各領域に示された画素データによって示される画素が文字領域に属すると分類する。
【００４６】
ピクチャー領域を判別する技術としては、例えば、網点データ（中間調データ）の連続性を検出する手法を用いることができる。領域判定部３５は、網点データ（中間調データ）が一定個数以上連続する領域を判定し、この領域に含まれる画素データによって示される画素がピクチャー領域に属すると分類する。また、領域判定部３５は、画素データのうち文字領域およびピクチャー領域以外の領域の画素データに示される画素が背景領域に属すると分類する。
【００４７】
画素領域カウント部３６は、領域判定部３５によって分類された領域のそれぞれに属する画素数をカウントする。すなわち、文字領域、ピクチャー領域および背景領域それぞれに属する画素数をカウントする。
【００４８】
属性判定部３１は、画素領域カウント部３６によってカウントされた画素数に基づいて画像データが文字データ、ピクチャーデータおよび混在データのいずれに属するかを判定する。属性判定部３１は、文字領域の画素数が所定の閾値を超えた場合に、画像データが文字データに属すると判定する。また、属性判定部３１は、ピクチャー領域の画素数が所定の閾値を超えた場合に、画像データがピクチャーデータに属すると判定する。さらに、属性判定部３１は、文字領域の画素数が所定の閾値を超え、かつ、ピクチャー領域の画素数が所定の閾値を超えた場合に画像データは混在データに属すると判定する。あるいは、属性判定部３１は、それぞれの領域の割合に基づいて画像データが文字データ、ピクチャーデータおよび混在データのいずれに属するかを判定してもよい。
【００４９】
図８〜図１０を参照して本発明の実施形態３に係る画像処理装置１００の画像処理方法を説明する。図９は、本発明の実施形態３に係る画像処理装置１００の画像処理方法を示すフローチャートである。図１０（ａ）および（ｂ）は、画像データＵを示す模式図である。
【００５０】
図１０（ａ）に示す画像データＵに画像処理を行う場合について以下説明する。画像データＵは、文字５２、ピクチャー６１、ピクチャー６２およびピクチャー６３を含む。
【００５１】
ステップＳ２００：領域判定部３５は、画像データＵのそれぞれの画素データによって示される画素が文字領域、ピクチャー領域および背景領域のいずれに属するかを分類する。すなわち、図１０（ｂ）に示すように領域判定部３５は、文字５２が存在する画素を文字領域５３として分類する。また、領域判定部３５は、ピクチャー６１、ピクチャー６２およびピクチャー６３が存在する画素をピクチャー領域として分類する。さらに、領域判定部３５は、文字およびピクチャーが存在しない領域を背景領域７１として分類する。
【００５２】
ステップＳ２０２：画素領域カウント部３６は、領域判定部３５によって分類された領域のそれぞれに属する画素数をカウントする。すなわち、画素領域カウント部３６は、領域判定部３５によって分類された文字領域、ピクチャー領域および背景領域のそれぞれの画素数をカウントする。
【００５３】
ステップＳ２０４：属性判定部３１は、画素領域カウント部３６によってカウントされた画素数に基づいて画像データが文字データ、ピクチャーデータ、および混在データのいずれに属するかを判定する。画像データＵは、図１０（ａ）に示すように、文字５２、ピクチャー６１、ピクチャー６２およびピクチャー６３を含んでいる。文字領域の画素数が所定の閾値を超え、かつ、ピクチャー領域の画素数が所定の閾値を超えた場合に、属性判定部３１は、画像データＵを混在データに属すると判定する。
【００５４】
ステップＳ２０６：画像調整選別部３２は、属性判定部３１の判定結果に基づいて複数の画像調整機能の中から画像調整機能を選別する。すなわち、画像調整選別部３２は、複数の画像調整機能の中から文字データの画像調整機能に効果的な機能およびピクチャーデータの画像調整機能に効果的な機能を選別する。本実施形態において、画像調整選別部３２は、画像調整機能として文字強調、文字ぼかし、彩度調整および色相調整を選別する。
【００５５】
ステップＳ２０８：画像処理部３３は、画像調整選別部３２によって選別された画像調整機能に基づいて画像処理を行い画像データのプレビュー画像を生成する。すなわち、文字強調、文字ぼかし、彩度調整および色相調整の画像処理を行い、それぞれの画像調整機能に対応したプレビュー画像を生成する。また、画像処理部３３は、領域のそれぞれに対応した画像調整機能に基づいて画像処理を行う。すなわち、画像処理部３３は、文字強調および文字ぼかしの画像処理を行う場合は、文字領域に対して画像処理を行う。一方、彩度調整および色相調整の画像処理を行う場合は、ピクチャー領域に対して画像処理を行う。
【００５６】
ステップＳ２１０：制御部３０は、プレビュー画像を表示部１０に表示させる。
【００５７】
以上、図８〜図１０を参照して説明したように、画像処理装置１００において、属性判定部３１は、画素領域カウント部３６によってカウントされた画素数に基づいて画像データが文字データ、ピクチャーデータおよび混在データのいずれに属するかを判定する。したがって、制御部３０は、画像データに応じたプレビュー画像を表示することができる。その結果、ユーザーは所望する画像調整機能を選択することが容易となる。
【００５８】
また、画像処理装置１００において、画像処理部３３は、領域のそれぞれに対応した画像調整機能に基づいて画像処理を行う。したがって、画像処理部３３は、領域に適した画像調整機能の画像処理を行うことができる。
【００５９】
なお、本発明は、上記の実施の形態に限られるものではなく、その要旨を逸脱しない範囲で種々の態様において実施することが可能であり、例えば、以下のような変形も可能である。
【００６０】
図１〜図１０を参照して説明した画像処理装置１００では、制御部３０は、プレビュー画像を２つまたは４つ表示部１０に表示させていたが、プレビュー画像の表示数は２つまたは４つに限定されない。例えば、画像調整選別部３２が最適な１つの画像調整機能を選別し、制御部３０はプレビュー画像を１つ表示部１０に表示してもよい。あるいは、制御部３０はプレビュー画像を３つまたは５つ以上表示部１０に表示してもよい。
【産業上の利用可能性】
【００６１】
本発明の画像処理装置は、画像データに対応した画像処理が必要な画像処理装置に好適に用いられる。
【符号の説明】
【００６２】
Ｓ、Ｔ、Ｕ  画像データ
１０        表示部
２０        記憶部
３０        制御部
３１        属性判定部
３２        画像調整選別部
３３        画像処理部
３４        ズーム調整部
３５        領域判定部
３６        画素領域カウント部
４１、４２、４３、４４  プレビュー画像
５１、５２  文字
６１、６２、６３  ピクチャー
７１        背景領域
８１、８２、８３、８４  拡大ボタン
８５、８６、８７、８８  縮小ボタン
１００      画像処理装置
【図１】
0006027525.tif 000002
【図２】
0006027525.tif 000003
【図３】
0006027525.tif 000004
【図４】
0006027525.tif 000005
【図５】
0006027525.tif 000006
【図６】
0006027525.tif 000007
【図７】
0006027525.tif 000008
【図８】
0006027525.tif 000009
【図９】
0006027525.tif 000010
【図１０】
0006027525.tif 000011